(57)【要約】【課題】保留動作を開始するための所定操作を行うユーザの心情に合わせてケース毎に適当な保留動作を行うテレビ電話端末を提供すること。【解決手段】会話を中断したくなかったが中断せざるを得ない用件が入ってしまった場合の保留画面は、例えば、ユーザの自己紹介映像や、ユーザが飼っているペットの紹介映像、ユーザが作成したＣＧ等によるキャラクタ映像、ユーザの近況報告を兼ねた映像等であり、相手を飽きさせないものである。一方、そろそろ会話を終えたいと思いつつも切れずにいるときに用件が入った場合の保留画面は、例えば、ユーザが作成したＣＧ等によるキャラクタが忙しく動き回ったり、回線を切断するよう促すといった映像等であり、保留中に相手から電話を切らせるよう仕向けるものである。【選択図】    図１
2004289255.tif 000002
【特許請求の範囲】
【請求項１】
ネットワークを介して他の端末と映像および音声による通信を行うテレビ電話端末であって、
第１の所定操作が行われると第１の保留動作を開始し、第２の所定操作が行われると第２の保留動作を開始して、
前記第１の保留動作と前記第２の保留動作とでは、内容の異なる映像または音声を前記他の端末に送信することを特徴とするテレビ電話端末。
【請求項２】
前記第１の保留動作で前記他の端末に送信される映像または音声のデータと、前記第２の保留動作で前記他の端末に送信される映像または音声のデータとを記憶したデータ記憶手段と、
保留動作に関する所定操作に応じて、前記データ記憶手段から当該所定操作に応じた映像または音声のデータを読み出して、前記他の端末に送信する保留動作処理手段と、
を備えたことを特徴とする請求項１記載のテレビ電話端末。
【請求項３】
前記第１の保留動作で前記他の端末に送信される映像または音声は、前記他の端末を使用するユーザを飽きさせない内容であり、
前記第２の保留動作で前記他の端末に送信される映像または音声は、保留中に前記他の端末を使用するユーザから回線を切断するよう仕向ける内容であることを特徴とする請求項１または２記載のテレビ電話端末。
【請求項４】
前記第１の保留動作では、通信相手によって回線が切断されない限り通信を継続し、前記第２の保留動作では、保留状態が所定時間以上経過した時点で回線を切断することを特徴とする請求項１、２または３記載のテレビ電話端末。
【発明の詳細な説明】
【０００１】
【発明の属する技術分野】
本発明は、保留動作を開始するための所定操作を行うユーザの心情に合わせてケース毎に適当な保留動作を行うテレビ電話端末に関する。
【０００２】
【従来の技術】
複数のテレビ電話端末およびネットワーク等から構成されるテレビ電話システムでは、各テレビ電話端末で撮影された映像が音声と共にネットワークを介して相手端末に送られる。したがって、相手と会話を行っているときのテレビ電話端末の画面には、相手のテレビ電話端末から送られた映像が表示される。このため、離れた場所にいる相手とでも顔を見ながら会話することができる。
【０００３】
当該システムで用いられるテレビ電話端末には、会話を一時中断するための保留機能が設けられている。このテレビ電話端末に設けられた保留ボタンが会話中に押されると、撮影映像に代わって所定の画像（保留画像）が相手のテレビ電話端末に送られ、当該相手のテレビ電話端末に表示される。
【０００４】
【特許文献１】
特開２００１−２３８１８８号公報
【０００５】
【発明が解決しようとする課題】
このような保留機能は会話中にちょっとした用件が入ったときに活用される場合が多いが、この場面における保留動作を行ったユーザの心情は大きく分けて２つのケースがあると考えられる。第１のケースは、会話を中断したくなかったが中断せざるを得ない用件が入ってしまった場合である。また、第２のケースは、そろそろ会話を終えたいと思いつつも切れずにいるときに用件が入った場合である。
【０００６】
第１のケースでは、保留中に電話が切られてしまうことをユーザは望まないと考えられる。しかし、従来のテレビ電話における保留時の画面は固定的に設定された代わり映えのない静止画であるため、保留時間が長いと相手が退屈して電話を切ってしまう恐れがあった。一方、第２のケースでは、保留中に相手が電話をむしろ切ることをユーザは望むと考えられる。したがって、保留中に相手から電話を切らせるように仕向けることが望ましいが、従来のテレビ電話における保留時の画面は単なる静止画であるため、相手によっては辛抱強く待ちつづけ、終わりたいと思っていた会話を再開せざるを得ないといった状況になり得る。
【０００７】
本発明は、上記従来の事情に鑑みてなされたものであって、保留動作を開始するための所定操作を行うユーザの心情に合わせてケース毎に適当な保留動作を行うテレビ電話端末を提供することを目的としている。
【０００８】
【課題を解決するための手段】
上記目的を達成するために、本発明に係るテレビ電話端末は、ネットワークを介して他の端末と映像および音声による通信を行うテレビ電話端末であって、第１の所定操作が行われると第１の保留動作を開始し、第２の所定操作が行われると第２の保留動作を開始して、前記第１の保留動作と前記第２の保留動作とでは、内容の異なる映像または音声を前記他の端末に送信する。したがって、保留動作を開始するための所定操作を行うユーザの心情に合わせてケース毎に適当な保留動作を行うことができる。
【０００９】
また、本発明に係るテレビ電話端末は、前記第１の保留動作で前記他の端末に送信される映像または音声のデータと、前記第２の保留動作で前記他の端末に送信される映像または音声のデータとを記憶したデータ記憶手段と、保留動作に関する所定操作に応じて、前記データ記憶手段から当該所定操作に応じた映像または音声のデータを読み出して、前記他の端末に送信する保留動作処理手段と、を備えていることが望ましい。
【００１０】
また、本発明に係るテレビ電話端末は、前記第１の保留動作で前記他の端末に送信される映像または音声は、前記他の端末を使用するユーザを飽きさせない内容であり、前記第２の保留動作で前記他の端末に送信される映像または音声は、保留中に前記他の端末を使用するユーザから回線を切断するよう仕向ける内容であることが望ましい。
【００１１】
さらに、本発明に係るテレビ電話端末は、前記第１の保留動作では、通信相手によって回線が切断されない限り通信を継続し、前記第２の保留動作では、保留状態が所定時間以上経過した時点で回線を切断することが望ましい。
【００１２】
【発明の実施の形態】
以下、本発明に係るテレビ電話端末の実施の形態について、図面を参照して説明する。
【００１３】
本実施形態のテレビ電話端末は、動画または静止画（以下、まとめて「映像」という。）を撮影可能なカメラを備えた携帯電話やＰＨＳ、ＰＤＡ等の通信端末であり、ネットワークを介して別のテレビ電話端末と映像および音声を送受信することによりテレビ電話として用いることができる。
【００１４】
本実施形態のテレビ電話端末は、図１に示すように、カメラ１０１と、映像処理部１０３と、マイク１０５と、スピーカ１０７と、音声処理部１０９と、表示部１１１と、キーボード１１３と、特許請求の範囲のデータ記憶手段に該当する記憶部１１５と、保留動作処理手段に該当する中央処理部１１７および無線部１１９と、アンテナ１２１とを備えて構成されている。
【００１５】
映像処理部１０３は、カメラ１０１で撮影された映像を解析して所定の処理を行うものである。また、音声処理部１０９は、マイク１０５から入力された自分の音声に対して所定の処理を行ったり、相手のテレビ電話端末から受け取った相手の音声データを処理してスピーカ１０７から出力するものである。また、表示部１１１は、映像処理部１０３で処理された映像や相手のテレビ電話端末から送られた映像等を表示するものである。
【００１６】
また、キーボード１１３は、後述する保留モードの選択や保留モードへの移行、他の指示等を行うためのものである。また、記憶部１１５は、保留時に利用される映像や音声のデータ、ユーザのスケジュール情報等を記憶するものである。また、中央処理部１１７は、選択された保留モードに応じた処理や、映像データおよび音声データの圧縮伸長処理等を行うものである。また、無線部１１９は、映像および音声のデータの変復調等を行って、アンテナ１２１を介して信号を送受信するものである。
【００１７】
以上の説明を踏まえて、〔第１の実施形態〕、〔第２の実施形態〕の順に本発明に係るテレビ電話端末の実施の形態について詳細に説明する。
【００１８】
〔第１の実施形態〕
第１の実施形態のテレビ電話端末は、会話を中断したくなかったが中断せざるを得ない用件が入ってしまった場合に適切な保留動作を行う。本実施形態の場合、ユーザは保留中に相手に電話が切られてしまうことを望まないと考えられる。したがって、本実施形態で保留中に表示される映像は、相手を飽きさせないものであることが望ましい。例えば、ユーザの自己紹介映像や、ユーザが飼っているペットの紹介映像、ユーザが作成したＣＧ等によるキャラクタ映像、ユーザの近況報告を兼ねた映像等を保留中に再生する。
【００１９】
また、図１に示した記憶部１１５に記憶されているスケジュール情報に基づいて、ユーザの誕生日が近い場合は、誕生日が近いことを示す映像を再生しても良い。また、予めユーザによって設定された一言集から日毎、週毎に決められた一言を画像または音声で再生しても良い。また、日毎にユーザが今日の一言なるもの（例えば「今日も１日頑張ろう！」）をキーボード１１３から文字入力するかマイク１０５から音声で入力して記憶部１１５に格納しておき、それを画像または音声で再生しても良い。
【００２０】
ユーザは、テレビ電話で相手と会話を行っている最中に本実施形態の保留モードに移行する場合は、図１に示したキーボード１１３の保留ボタンを押す。これを中央処理部１１７が検知して、記憶部１１５から所定の映像データや音声データを読み出し、無線部１１９で変調等を行った後、アンテナ１２１から信号を送信する。相手のテレビ電話端末は、ネットワーク等を介して送られた当該信号を受信して復調等を行って、保留画面を表示する。なお、本実施形態では、上述したように、ユーザは保留中に相手に電話が切られてしまうことを望まないと考えられるため、保留状態が所定時間続いても、相手が回線を切断しないかぎり通信を継続する。
【００２１】
以上説明したように、本実施形態では、会話相手のテレビ電話端末に表示される保留画面が、従来のような代わり映えのないものではなく、ユーザによって自由に作成された映像である。このため、保留時間が多少長くなっても相手を退屈させたり、保留時間が長いために相手に不愉快な思いをさせるといったことがなくなる。
【００２２】
〔第２の実施形態〕
第２の実施形態のテレビ電話端末は、そろそろ会話を終えたいと思いつつも切れずにいるときに用件が入った場合に適切な保留動作を行う。本実施形態の場合、ユーザは保留中に相手が電話をむしろ切ることを望むと考えられる。したがって、本実施形態で保留中に表示される映像は、保留中に相手から電話を切らせるよう仕向けるものであることが望ましい。例えば、ユーザが作成したＣＧ等によるキャラクタが忙しく動き回ったり、回線を切断するよう促すといった映像を保留中に再生する。
【００２３】
ユーザは、テレビ電話で相手を会話を行っている最中に本実施形態の保留モードに移行する場合は、図１に示したキーボード１１３の保留ボタンを例えば２度押す。これを中央処理部１１７が検知して、記憶部１１５から映像データや音声データを読み出し、無線部１１９で変調等を行った後、アンテナ１２１から信号を送信する。相手のテレビ電話端末は、ネットワーク等を介して送られた当該信号を受信して復調等を行って、保留画面を表示する。なお、本実施形態では、保留状態が所定時間以上経過した時点で回線を自動的に切断する。
【００２４】
以上説明したように、本実施形態では、会話相手のテレビ電話端末に表示される保留画面が、相手に電話を切らせるよう仕向ける映像である。したがって、保留時間がある程度続くと相手は自然に回線を切ろうという思いになる可能性が高いため、そろそろ会話を終えたいと思いつつも切れずにいたとき、自分から明示的に電話を切ることを伝えて気まずい思いをすることなく、自然の成り行きで会話を終了することができる。
【００２５】
なお、上記説明した各実施形態のテレビ電話端末が有する映像処理部１０３、音声処理部１０９および中央処理部１１７はプログラムを実行することによって動作するものであっても良い。
【００２６】
【発明の効果】
以上説明したように、本発明に係るテレビ電話端末によれば、保留動作を開始するための所定操作を行うユーザの心情に合わせてケース毎に適当な保留動作を行うことができる。
【図面の簡単な説明】
【図１】本発明に係る一実施形態のテレビ電話端末の構成を示すブロック図
【符号の説明】
１０１  カメラ
１０３  映像処理部
１０５  マイク
１０７  スピーカ
１０９  音声処理部
１１１  表示部
１１３  キーボード
１１５  記憶部
１１７  中央処理部
１１９  無線部
１２１  アンテナ
【図１】
2004289255.tif 000003